(57)【要約】【課題】視聴しているユーザー自身が、視聴しているということを能動的に伝えなくても、正確な情報取得が可能なテレビ受像機及び視聴情報取得機器を提供する。【解決手段】視聴するユーザーの操作を受けて放送番組を選局し画像表示するテレビジョン受像機において、ユーザーの撮像画像を取得する撮像画像取得部９と、取得した撮像画像を基にユーザーの本人確認を行うユーザー確認部８と、ユーザーの本人確認結果情報と画像表示する放送番組情報とを対応させて記憶するユーザー視聴記憶部１２とを備える。ユーザー確認部８は、本人確認時に取得したユーザーの撮像画像と事前に撮像して取得したユーザーの事前撮像画像とを比較して本人確認を行う。【選択図】図１
2008278302.tif 000002
【特許請求の範囲】
【請求項１】
視聴するユーザーの操作を受けて放送番組を選局し画像表示するテレビジョン受像機において、
前記ユーザーの撮像画像を取得する撮像画像取得部と、取得した撮像画像を基に前記ユーザーの本人確認を行うユーザー確認部と、前記ユーザーの本人確認結果情報と画像表示する放送番組情報とを対応させて記憶するユーザー視聴記憶部とを備えることを特徴とするテレビジョン受像機。
【請求項２】
前記ユーザー確認部は、本人確認時に取得したユーザーの撮像画像と事前に撮像して取得したユーザーの事前撮像画像とを比較して本人確認を行う請求項１記載のテレビジョン受像機。
【請求項３】
前記ユーザー確認部は、顔形認証方式で本人確認を行う請求項１記載のテレビジョン受像機。
【請求項４】
選局し画像表示する放送番組情報を、接続したテレビジョン受像機から受け取る放送番組情報取得部と、前記テレビジョン受像機を視聴するユーザーの撮像画像を取得する撮像画像取得部と、取得した撮像画像を基に前記ユーザーの本人確認を行うユーザー確認部と、前記ユーザーの本人確認結果情報と画像表示する放送番組情報とを対応させて記憶するユーザー視聴記憶部とを備えることを特徴とする視聴情報収集機器。
【発明の詳細な説明】
【技術分野】
【０００１】
本発明は、テレビジョン受像機及び視聴情報取得機器に関し、特に情報取得・認識システムを利用して視聴情報の収集が可能なテレビジョン受像機及び視聴情報取得機器に関する。
【背景技術】
【０００２】
テレビ番組を視聴する際に、テレビ受像機（以下、単に「テレビ」ともいう場合がある。）が使用される。テレビ番組放送局側、およびテレビＣＭを見て欲しい企業側として、テレビを視聴しているユーザーが、どの番組を好んで視聴しているか（視聴率調査など）、通常敬遠されがちなテレビＣＭの中で、どのＣＭがよりよく視聴されているか（嗜好調査など）、といった情報を取得するが提案されており、この場合、従来の方法では、世帯単位での情報や、ただテレビをつけているだけで見ていないという状況もあり、また、詳細なユーザー情報を得る場合は、その視聴しているユーザー自身が自ら情報を送信してもらうことにより、情報取得を行っているという背景があり、容易な情報取得が出来ないようになっている（特許文献１、２参照）。
【特許文献１】特開２００１−３２０７４３号公報
【特許文献２】特開２００３−３０９８６２号公報
【発明の開示】
【発明が解決しようとする課題】
【０００３】
従来方式で得られる世帯単位での情報では、個々人のテレビ視聴による嗜好性がしっかり把握できず、また、テレビを実際に見ているかどうかまではわからず、詳細な個々人の情報を得るには、その視聴しているユーザー自身が、視聴しているということを能動的に伝えなければならないため、テレビ番組放送局側や、ＣＭ放映してもらう企業側としては、正確な情報取得が難しくなってしまっていて、課題となっている。
【０００４】
本発明は、視聴しているユーザー自身が、視聴しているということを能動的に伝えなくても、正確な情報取得が可能なテレビ受像機及び視聴情報取得機器を提供することを目的とする。
【課題を解決するための手段】
【０００５】
本発明は、テレビを視聴しているユーザーがどういう人物であるか、どういうものに興味があるかという嗜好情報を、「虹彩・網膜」等、「顔形」等による本人認証システムを用いることにより、（ユーザーからの作業を要することなく）容易に情報取得・認識して活用することをあわせもつテレビ受像機である。
【０００６】
すなわち、本発明は、視聴するユーザーの操作を受けて放送番組を選局し画像表示するテレビジョン受像機において、前記ユーザーの撮像画像を取得する撮像画像取得部と、取得した撮像画像を基に前記ユーザーの本人確認を行うユーザー確認部と、前記ユーザーの本人確認結果情報と画像表示する放送番組情報とを対応させて記憶するユーザー視聴記憶部とを備えるテレビジョン受像機である。
【０００７】
また、本発明は、前記ユーザー確認部が、本人確認時に取得したユーザーの撮像画像と事前に撮像して取得したユーザーの事前撮像画像とを比較して本人確認を行うテレビジョン受像機である。
【０００８】
そして、本発明は、前記ユーザー確認部が、顔形認証方式で本人確認を行うテレビジョン受像機である。
【０００９】
更に、本発明は、選局し画像表示する放送番組情報を、接続したテレビジョン受像機から受け取る放送番組情報取得部と、前記テレビジョン受像機を視聴するユーザーの撮像画像を取得する撮像画像取得部と、取得した撮像画像を基に前記ユーザーの本人確認を行うユーザー確認部と、前記ユーザーの本人確認結果情報と画像表示する放送番組情報とを対応させて記憶するユーザー視聴記憶部とを備える視聴情報収集機器である。
【発明の効果】
【００１０】
本発明によれば、ユーザーに意識させることなく、視聴している人物の特定が可能となるため、テレビ番組放送局側としての視聴率調査などや、ＣＭ放映する企業側としての嗜好調査などの情報を取得することが容易となり、より詳しい、より正確な情報を得ることが出来るため、メリットとして作用することができる。
【発明を実施するための最良の形態】
【００１１】
本発明を実施するための最良の形態を説明する。
本発明のテレビ受像機及び視聴情報取得機器の実施例について、図面を用いて説明する。
【００１２】
実施例を説明する。本実施例のテレビ受像機は、図１に示すように、ビデオ入力部２、チューナー部３、選局部４、ＡＶスイッチ部５、映像信号処理部６、映像表示装置７、認証制御部（網膜認証、顔形認証など）８、情報受信部（ＣＣＤカメラなど）９、通信制御部１０、ＣＰＵ（システム制御）１１、ＲＡＭ１２、ＲＯＭ１３、リモコン受光部１４、通信用端子１５、不揮発性メモリ（ＥＥＰＲＯＭなど）１８、通信バスライン１９を備えている。
【００１３】
アンテナ１で受信された放送電波がチューナー部３に供給され、選局部４によってユーザーが所望するチャンネルが選択される。また、外部機器からのビデオ信号が、ビデオ入力部２に入力される。これらが、ビデオセレクタ部５によって経路選択され、信号処理部６に供給され、所定の信号処理が施され、表示装置７で画像が表示される。
【００１４】
本実施例のテレビ受像機を使用してユーザーの視聴情報を収集する方法の一例を説明する。まず、前もって、本人認証システムを行なうための情報を、ＣＣＤカメラなどの情報受信部９から、ＥＥＰＲＯＭなどの不揮発性メモリに初期登録しておく。実際に、ユーザーがテレビを視聴した際に、情報受信部９から情報を取得し、それを網膜認証又は顔形認証などが行なえる認証制御部に渡し、実際に本人認証を行なう。ここで、本人認証を行なうプログラムなどはＲＯＭ１３に収録し、認証時の作業領域はＲＡＭ１２を使用する。本人認証を行なった結果は、通信制御部１０を通じて、通信用端子１５から、電話回線又はＬＡＮなどの通信回線１６により、情報が送信される。このようにして、ユーザーの視聴情報を収集することができる。なお、本人認証を行う時間間隔としては、例えば１分間とすることができる。
【００１５】
本発明において、テレビ側に、ユーザー認証システムとして、従来より、システムとして確立されている「虹彩・網膜認証」「顔形認証」が行なえるシステムを搭載し、認識が完了する状態、つまりテレビ画面にユーザーの目・顔が向いていて、実際テレビを視聴していることが、認識システムを完了させることにつながり、そこからユーザー情報を判断できるようにする。また、テレビ側に、情報をフィードバックできるようなネットワークシステムを搭載し、前記認識した情報を、ネットワークを介してフィードバックさせる。これらにより、容易に情報取得・認識が行なえる。
【００１６】
また、本発明では、テレビ側に、ユーザー認証システムを搭載し、その認証システムを「虹彩・網膜認証」「顔形認証」といった顔の一部を認証するシステムを利用することにより、認識が可能となる状態が、ユーザーがテレビを視聴している状態と同じ状態であるということを利用し、容易に情報取得・認識が可能となる
【００１７】
以上実施例で説明したが、本発明は、選局し画像表示する放送番組情報を、接続したテレビジョン受像機から受け取る放送番組情報取得部と、前記テレビジョン受像機を視聴するユーザーの撮像画像を取得する撮像画像取得部と、取得した撮像画像を基に前記ユーザーの本人確認を行うユーザー確認部と、前記ユーザーの本人確認結果情報と画像表示する放送番組情報とを対応させて記憶するユーザー視聴記憶部とを備える視聴情報収集機器を使用することにより達成することができる。
【００１８】
また、本発明は、テレビ受信機能を有するパソコン、ビデオ装置、テレビ電話装置、ケーブルテレビ用装置などの表示装置でも、同様にすることが可能である。
【図面の簡単な説明】
【００１９】
【図１】実施例のテレビ受像機のシステム構成を示す図。
【符号の説明】
【００２０】
１・・・アンテナ、２・・・ビデオ入力部、３・・・チューナー部、４・・・選局部、５・・・ＡＶスイッチ部、６・・・映像信号処理部、７・・・映像表示装置、８・・・認証制御部（網膜認証、顔形認証など）、９・・・情報受信部（ＣＣＤカメラなど）、１０・・・通信制御部、１１・・・ＣＰＵ（システム制御）、１２・・・ＲＡＭ、１３・・・ＲＯＭ、１４・・・リモコン受光部、１５・・・通信用端子、１６・・・通信回線（電話回線、ＬＡＮ）、１７・・・リモコン送信機、１８・・・不揮発性メモリ（ＥＥＰＲＯＭなど）、１９・・・通信バスライン
【図１】
2008278302.tif 000003